(57)【要約】【課題】使用者が収納位置まで押し込んだ状態において、確実に端末装置を保持する状態へ移行することが可能なクレードル装置を提供する。【解決手段】クレードル装置１０は、トレイ２１、本体部２２、ポップアップ機構２３、マグネット２４を備えている。ポップアップ機構２３は、本体部２２に設けられ、収納位置から取出し位置へとトレイ２１を移動させる。マグネット２４は、本体部２２におけるトレイ２１の載置面２１ａとは反対側に設けられ、ハンドセット１１を取り出す際に収納位置から取出し位置までハンドセット１１をトレイ２１側に吸着させ、ハンドセット１１をトレイ２１上から取り出すと所定の退避位置へ移動し、ハンドセット１１をトレイ２１に戻す際にハンドセット２１が収納位置まで押し込まれると退避位置からハンドセット１１をトレイ２１側に吸着させる吸着位置へ移動する。【選択図】図７Ｄ
2016171425.tif 000002
【特許請求の範囲】
【請求項１】
端末装置が装着されるクレードル装置であって、
前記端末装置が載置される載置面を有するトレイと、
取付面に設けられており、前記載置面とは反対側から前記トレイを支持する本体部と、
前記本体部に設けられており、前記取付面内に前記端末装置を収める収納位置から前記取付面に対して前記端末装置を持ち上げる方向に移動させた取出し位置へと、前記トレイを移動させるポップアップ機構と、
前記本体部における前記トレイの前記載置面とは反対側に設けられており、前記端末装置を取り出す際には、前記収納位置から前記取出し位置まで前記端末装置を前記トレイ側に吸着させるとともに、前記端末装置を前記トレイ上から取り出すと所定の退避位置へ移動し、前記端末装置を前記トレイに戻す際には、前記端末装置が前記収納位置まで押し込まれると前記退避位置から前記端末装置を前記トレイ側に吸着させる吸着位置へ移動する吸着部材と、
を備えているクレードル装置。
【請求項２】
前記取出し位置において、前記トレイ上から前記端末装置が取り出されると、前記吸着部材を前記吸着位置から前記退避位置へと移動させる退避機構を、さらに備えている、
請求項１に記載のクレードル装置。
【請求項３】
前記退避機構は、前記吸着部材の吸着力よりも弱い弾性力を持つ第１弾性部材を有している、
請求項２に記載のクレードル装置。
【請求項４】
前記退避機構は、前記取付面に対して略垂直な方向において前記吸着部材を移動させる、
請求項２または３に記載のクレードル装置。
【請求項５】
前記退避機構は、前記取付面に対して略平行な方向において前記吸着部材を移動させる、
請求項２または３に記載のクレードル装置。
【請求項６】
前記吸着部材は、前記取出し位置において、前記トレイ上から前記端末装置が取り出されると、重力によって前記吸着位置から前記退避位置へと移動する、
請求項１に記載のクレードル装置。
【請求項７】
前記端末装置を前記トレイに戻す際に、前記端末装置が前記収納位置まで押し込まれると、前記吸着部材を前記退避位置から前記吸着位置へと移動させる移動機構を、さらに備えている、
請求項１から６のいずれか１項に記載のクレードル装置。
【請求項８】
前記移動機構は、前記本体部に形成されており前記トレイの方向に向かって突出した凸部を有している、
請求項７に記載のクレードル装置。
【請求項９】
前記移動機構は、前記本体部に形成されており前記端末装置が前記収納位置まで押し込まれるにつれて前記退避位置から前記吸着位置へと移動するように前記吸着部材を誘導する傾斜面を有している、
請求項７に記載のクレードル装置。
【請求項１０】
前記ポップアップ機構は、
前記トレイを前記収納位置において係止した状態で保持するロック部材と、
前記ロック部材による係止状態を解除する解除部と、
前記解除部によって前記ロック部材による係止が解除された際に、前記トレイを前記取出し位置まで移動させる弾性力を付与する第２弾性部材と、
を有している、
請求項１から９のいずれか１項に記載のクレードル装置。
【請求項１１】
前記ポップアップ機構は、前記トレイを前記収納位置から前記取出し位置へ移行させる際に、前記取付面に対して略平行な姿勢を維持したまま、前記トレイを移動させる、
請求項１から１０のいずれか１項に記載のクレードル装置。
【請求項１２】
前記ポップアップ機構は、前記トレイを前記収納位置から前記取出し位置へ移行させる際に、前記端末装置の第１端部側が前記取付面に対して突出するように、前記トレイを傾けて移動させる、
請求項１から１０のいずれか１項に記載のクレードル装置。
【請求項１３】
前記吸着部材は、マグネット、あるいは前記端末装置側に設けられたマグネットに吸着する吸着板である、
請求項１から１２のいずれか１項に記載のクレードル装置。
【請求項１４】
前記取付面は、航空機内に設置された座席の背もたれ部分の背面、あるいは座席のアームレストを構成する面である、
請求項１から１３のいずれか１項に記載のクレードル装置。
【発明の詳細な説明】
【技術分野】
【０００１】
本開示は、端末装置が装着されるクレードル装置に関する。
【背景技術】
【０００２】
例えば、航空機の客室内に設置された各座席の周辺には、各種エンターテイメントシステムを操作するための端末装置（ハンドセット）を格納するクレードル装置が設けられている。
例えば、特許文献１には、航空機等に搭載された端末装置において、使用者が操作ボタンを押下して、ハンドセットが収納された収納位置から、ハンドセットを取り出し可能なポップアップ位置へ移行させた状態でも、クレードル側に設けられたラッチ部材によってハンドセットを中間保持する操作端末装置が開示されている。
【０００３】
これにより、ハンドセットとクレードル装置において、ハンドセットの取出し時における座席への落下を防ぐことができる。
【先行技術文献】
【特許文献】
【０００４】
【特許文献１】特開２００３−６９６８２号公報
【発明の概要】
【発明が解決しようとする課題】
【０００５】
本開示の課題は、使用者によって収納位置まで押し込まれた際に、確実に端末装置を保持する状態へ移行することが可能なクレードル装置を提供することにある。
【課題を解決するための手段】
【０００６】
本開示に係るクレードル装置は、端末装置が装着されるクレードル装置であって、トレイと、本体部と、ポップアップ機構と、吸着部材と、を備えている。トレイは、端末装置が載置される載置面を有する。本体部は、取付面に設けられており、載置面とは反対側からトレイを支持する。ポップアップ機構は、本体部に設けられており、取付面内に端末装置を収める収納位置から取付面に対して端末装置を持ち上げる方向に移動させた取出し位置へと、トレイを移動させる。吸着部材は、本体部におけるトレイの載置面とは反対側に設けられており、端末装置を取り出す際には、収納位置から取出し位置まで端末装置をトレイ側に吸着させるとともに、端末装置をトレイ上から取り出すと所定の退避位置へ移動し、端末装置をトレイに戻す際には、端末装置が収納位置まで押し込まれると退避位置から端末装置をトレイ側に吸着させる吸着位置へ移動する。
【発明の効果】
【０００７】
本開示に係るクレードル装置によれば、使用者によって収納位置まで押し込まれた際に、確実に端末装置を保持する状態へ移行することができる。
【図面の簡単な説明】
【０００８】
【図１】本開示の第１の実施形態に係るクレードル装置にハンドセットが収納された座席裏面の構成を示す概観図。
【図２】図１のハンドセットが収納されたクレードル装置の拡大図。
【図３】図２のＡ−Ａ線矢視断面図。
【図４】図２のＢ−Ｂ線矢視断面図。
【図５Ａ】図３および図４の構成において、クレードル装置からハンドセットを取り出す際の工程を示す断面図。
【図５Ｂ】図３および図４の構成において、クレードル装置からハンドセットを取り出す際の工程を示す断面図。
【図５Ｃ】図３および図４の構成において、クレードル装置からハンドセットを取り出す際の工程を示す断面図。
【図６Ａ】図３および図４の構成において、クレードル装置からハンドセットを取り出す際の工程を示す断面図。
【図６Ｂ】図３および図４の構成において、クレードル装置からハンドセットを取り出す際の工程を示す断面図。
【図６Ｃ】図３および図４の構成において、クレードル装置からハンドセットを取り出す際の工程を示す断面図。
【図７Ａ】図３および図４の構成において、クレードル装置にハンドセットを収納する際の工程を示す断面図。
【図７Ｂ】図３および図４の構成において、クレードル装置にハンドセットを収納する際の工程を示す断面図。
【図７Ｃ】図３および図４の構成において、クレードル装置にハンドセットを収納する際の工程を示す断面図。
【図７Ｄ】図３および図４の構成において、クレードル装置にハンドセットを収納する際の工程を示す断面図。
【図８】本開示の第２の実施形態に係るクレードル装置にハンドセットが収納された状態を示す断面図。
【図９Ａ】図８の構成において、クレードル装置からハンドセットを取り出す際の工程を示す断面図。
【図９Ｂ】図８の構成において、クレードル装置からハンドセットを取り出す際の工程を示す断面図。
【図９Ｃ】図８の構成において、クレードル装置からハンドセットを取り出す際の工程を示す断面図。
【図１０Ａ】図８の構成において、クレードル装置からハンドセットを取り出す際の工程を示す断面図。
【図１０Ｂ】図８の構成において、クレードル装置からハンドセットを取り出す際の工程を示す断面図。
【図１１Ａ】図８の構成において、クレードル装置にハンドセットを収納する際の工程を示す断面図。
【図１１Ｂ】図８の構成において、クレードル装置にハンドセットを収納する際の工程を示す断面図。
【図１１Ｃ】図８の構成において、クレードル装置にハンドセットを収納する際の工程を示す断面図。
【図１２】本開示の第３の実施形態に係るクレードル装置にハンドセットが収納された状態を示す断面図。
【図１３Ａ】図１２の構成において、クレードル装置からハンドセットを取り出す際の工程を示す断面図。
【図１３Ｂ】図１２の構成において、クレードル装置からハンドセットを取り出す際の工程を示す断面図。
【図１３Ｃ】図１２の構成において、クレードル装置からハンドセットを取り出す際の工程を示す断面図。
【図１４Ａ】図１２の構成において、クレードル装置からハンドセットを取り出す際の工程を示す断面図。
【図１４Ｂ】図１２の構成において、クレードル装置からハンドセットを取り出す際の工程を示す断面図。
【図１５Ａ】図１２の構成において、クレードル装置にハンドセットを収納する際の工程を示す断面図。
【図１５Ｂ】図１２の構成において、クレードル装置にハンドセットを収納する際の工程を示す断面図。
【図１５Ｃ】図１２の構成において、クレードル装置にハンドセットを収納する際の工程を示す断面図。
【図１５Ｄ】図１２の構成において、クレードル装置にハンドセットを収納する際の工程を示す断面図。
【図１６Ａ】本開示のさらに他の実施形態に係るクレードル装置にハンドセットが収納された状態において、別のポップアップ機構を採用した構成を示す断面図。
【図１６Ｂ】本開示のさらに他の実施形態に係るクレードル装置にハンドセットが収納された状態において、別のポップアップ機構を採用した構成を示す断面図。
【図１７】本開示のさらに他の実施形態に係るクレードル装置の構成を示す断面図。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１０】
（実施形態１）
本開示の第１実施形態に係るクレードル装置１０について、図１〜図７Ｄを用いて説明すれば以下の通りである。
本実施形態に係るクレードル装置１０は、ハンドセット（端末装置）１１を収納するための装置であって、例えば、図１に示すように、航空機の客室内に複数設置されたそれぞれの座席１の背もたれ２の背面２ａに埋め込まれるように設けられている。そして、各座席１の後ろの座席１に着座した客は、正面に設置されたハンドセット１１をクレードル装置１０から取り出して操作することで、例えば、航空機の客室内に搭載されたエンターテイメントシステムを利用したり、客室乗務員を呼び出したりすることができる。
【００１１】
ハンドセット１１は、図２に示すように、背面２ａに埋め込まれたクレードル装置１０に収納されており、複数の操作ボタン１１ａ、表示画面１１ｂを有している。また、ハンドセット１１の内部には、後述するクレードル装置１０側に設けられたマグネット（吸着部材）の磁力によって吸着される吸着板１２が設けられている。
複数の操作ボタン１１ａは、エンターテイメントシステムの各種設定やコンテンツの選択、客室乗務員の呼び出し等に使用される。
【００１２】
表示画面１１ｂは、エンターテイメントシステムの各種設定画面、コンテンツの選択画面等を表示する。
吸着板１２は、図３に示すように、ハンドセット１１の筐体部の内部におけるクレードル装置１０へ装着される側の内壁面に設けられている。また、吸着板１２は、図３に示す断面視において、ハンドセット１１内のほぼ中央に設けられている。なお、吸着板１２の位置は、ハンドセット１１内のほぼ中央に限定されるものではない。
【００１３】
（クレードル装置１０の詳細な構成）
本実施形態のクレードル装置１０は、図３に示すように、トレイ２１、本体部２２、ポップアップ機構２３、マグネット２４、および退避機構２５を備えている。
トレイ２１は、例えば、樹脂製の部材であって、図３に示すように、ハンドセット１１が装着される載置面２１ａ、被係止部２１ｂ、ロック穴２１ｃ、第１・第２脚部２１ｄａ，２１ｄｂ、およびストッパ２１ｅを有している。
【００１４】
載置面２１ａは、図３に示すように、ハンドセット１１の外形に沿うように形成されている。
被係止部２１ｂは、図３に示すように、載置面２１ａと一体成形されており、トレイ２１における載置面２１ａとは反対側の裏面から載置面２１ａに略垂直な方向に沿って突出するように形成されている。また、被係止部２１ｂには、載置面２１ａに平行な方向に沿って貫通するロック穴２１ｃが形成されている。
【００１５】
ロック穴２１ｃは、後述するポップアップ機構２３のロック部材２３ｂの先端が抜き差しされる貫通穴である。そして、ロック部材２３ｂがロック穴２１ｃに挿入されると、所定の収納位置（図３参照）においてトレイ２１が係止される。
第１脚部２１ｄａ，２１ｄａは、図３に示すように、トレイ２１の裏面から載置面２１ａに略垂直な方向に沿って立設された２本の柱状の部材である。また、第１脚部２１ｄａ，２１ｄａは、トレイ２１の裏面における長手方向におけるほぼ中央に設けられている（図２のＡ−Ａ線参照）。第１脚部２１ｄａ，２１ｄａは、後述する退避機構２５のバネ（第１弾性部材）２５ａの内部に挿入されている。そして、第１脚部２１ｄａ，２１ｄａには、柱状の部分に沿って移動可能な支持板２４ａが取り付けられている。さらに、第１脚部２１ｄａ，２１ｄａの間には、支持板２４ａ上に載置されたマグネット２４が配置されている。
【００１６】
第２脚部２１ｄｂ，２１ｄｂは、図４に示すように、載置面２１ａと一体成形されており、第１脚部２１ｄａ，２１ｄａと同様に、トレイ２１の裏面から載置面２１ａに略垂直な方向に沿って立設された２本の柱状の部材である。また、第２脚部２１ｄｂ，２１ｄｂは、トレイ２１の裏面における長手方向における端部に設けられている（図２のＢ−Ｂ線参照）。第２脚部２１ｄｂ，２１ｄｂは、後述するポップアップ機構２３のバネ（第２弾性部材）２３ｄの内部に挿入されている。そして、第２脚部２１ｄｂ，２１ｄｂには、柱状の下端部に固定された板状のストッパ２１ｅが取り付けられている。
【００１７】
なお、第２脚部２１ｄｂ，２１ｄｂは、図２に示すＢ−Ｂ線の位置とは反対側にも設けられているが、図４に示す構成と同様であるため、ここでは説明を省略する。
ストッパ２１ｅは、後述するポップアップ機構２３によってトレイ２１が持ち上げられて収納位置（図５Ａ参照）から取出し位置（図６Ｃ参照）へと移行した際に、本体部２２の底部２２ｂに当接する。これにより、ストッパ２１ｅと底部２２ｂとの当接によってトレイ２１の位置が規制されるため、トレイ２１を所定の取出し位置において保持することができる。
【００１８】
本体部２２は、図３に示すように、トレイ２１を下方から支持する受け部材であって、トレイ２１の裏面側との間に形成される空間に、上述した第１脚部２１ｄａ，２１ｄａ、マグネット２４、支持板２４ａ、バネ２５ａ，２５ａ等を収納する。そして、本体部２２は、取付部２２ａ、底部２２ｂ、凸部（移動機構）２２ｃを有している。
取付部２２ａは、図３に示すように、座席１の背もたれ２の背面２ａ（取付面）に対して平行に形成された鍔状の部分であって、背面２ａの裏面側に固定されている。これにより、本体部２２が座席１の背もたれ２の背面２ａに対して取り付けられる。
【００１９】
底部２２ｂは、図３に示すように、本体部２２の底面を形成する部分であって、上述した第１脚部２１ｄａ，２１ｄａが配置されている。
凸部２２ｃ（移動機構）は、図３に示すように、本体部２２の底部２２ｂの中央部分に形成された凸状の部分であって、トレイ２１の裏面に向かって突出している。また、凸部２２ｃは、収納位置において、マグネット２４が載置された支持板２４ａを下方から支持することで、マグネット２４を吸着位置へと移動させる。
【００２０】
なお、凸部２２ｃによる、マグネット２４を退避位置から吸着位置へと移動させる工程については、後段にて詳述する。
ポップアップ機構２３は、トレイ２１を、収納位置から取出し位置へ、反対に、取出し位置から収納位置へと移行させる機構であって、図３に示すように、リリースボタン２３ａ、バネ２３ａａ、ロック部材２３ｂ、バネ２３ｂａ、ケース部２３ｃ、バネ２３ｄ（図４参照）を有している。
【００２１】
リリースボタン（解除部）２３ａは、図１および図２に示すように、正面視において、ハンドセット１１が収納されるスペースの直下に設けられている。また、リリースボタン２３ａは、図３に示すように、背面２ａから突出するように設けられており、トレイ２１が収納位置にある状態で押下されると、ロック部材２３ｂを退避させ、トレイ２１を収納位置から取出し位置へと移行させる。
【００２２】
バネ２３ａａは、図３に示すように、リリースボタン２３ａの筒状の下端部が内側に挿入された状態で、ケース部２３ｃと取付部２２ａとの間に配置されている。バネ２３ａａは、リリースボタン２３ａを取付部２２ａ側へ押し付ける付勢力を付与する。
ロック部材２３ｂは、図３に示すように、背面２ａに対して略平行な方向に沿って配置された棒状の部材であって、ケース部２３ｃ内において移動可能な状態で収納されている。また、ロック部材２３ｂの先端部分は、上述したトレイ２１の被係止部２１ｂに形成されたロック穴２１ｃ内に抜き差し可能な状態で配置されている。ここで、ロック部材２３ｂの先端部がロック穴２１ｃ内へ挿入されると、トレイ２１が収納位置において保持される。
【００２３】
さらに、図３に示すように、ロック部材２３ｂは、長手方向におけるほぼ中央付近に、リリースボタン２３ａの下端部に形成された傾斜面と当接する傾斜面を有している。
これらの傾斜面は、断面視において、ともに約４５度になるように形成されている。なお、傾斜面の角度は、４５度に限らず、４５度より小さくてもよいし、大きくてもよい。
これにより、リリースボタン２３ａが押下されて下方へ移動すると、互いに当接している傾斜面によって、ロック部材２３ｂが後退することで、ロック部材２３ｂによるトレイ２１の係止が解除される。
【００２４】
バネ２３ｂａは、図３に示すように、ケース部２３ｃ内において、ロック部材２３ｂの後端部とケース部２３ｃの最奥部との間に挟まれるように配置されている。そして、バネ２３ｂａは、ロック部材２３ｂの先端がトレイ２１のロック穴２１ｃ内へ挿入される方向に付勢する。
ケース部２３ｃは、図３に示すように、有底筒状の部材であって、ロック部材２３ｂとバネ２３ｂａとを収納する。また、ケース部２３ｃは、リリースボタン２３ａの先端部分が抜き差しされる貫通穴を有している。これにより、ケース部２３ｃ内において、リリースボタン２３ａの先端の傾斜面とロック部材２３ｂの傾斜面とを当接させることができる。
【００２５】
バネ（第２弾性部材）２３ｄは、図４に示すように、第２脚部２１ｄｂ，２１ｄｂが内側に挿入された状態で、トレイ２１の裏面側と本体部２２の底部２２ｂとの間に挟まれるように配置されている。そして、バネ２３ｄは、リリースボタン２３ａが押下されてロック部材２３ｂによるトレイ２１の係止が解除されると、背面２ａから飛び出す方向にトレイ２１を押し上げる。このように、バネ２３ｄの付勢力を利用することにより、トレイ２１を、ハンドセット１１を取り出しやすい位置、すなわち取出し位置へと移行させることができる。
【００２６】
マグネット２４は、図３に示すように、トレイ２１の裏面付近に配置されており、トレイ２１が収納位置にある状態では、ハンドセット１１の内部に設けられた吸着板１２を吸着する。
支持板２４ａは、図３に示すように、上面にマグネット２４が載置されている。そして、支持板２４ａは、第１脚部２１ｄａ，２１ｄａに対して、図中上下方向において移動可能な状態で取り付けられている。
【００２７】
これにより、支持板２４ａは、図３に示すように、マグネット２４がハンドセット１１の吸着板１２に吸着している状態では、マグネット２４の厚み分だけ裏面から離間した位置にある。
一方、ハンドセット１１がトレイ２１の載置面２１ａから取り外された状態（図６Ｃ参照）では、マグネット２４と吸着板１２との吸着状態が解消され、バネ２５ａ，２５ａの弾性力によって、支持板２４ａは、マグネット２４とともにトレイ２１の裏面から引き離され、第１脚部２１ｄａ，２１ｄａの端部まで移動する。
【００２８】
退避機構２５は、トレイ２１が収納位置（図５Ａ参照）から取出し位置（図６Ｃ参照）へ移行した際に、ハンドセット１１が取り外されると、マグネット２４を吸着位置から退避位置へと移動させる。そして、退避機構２５は、図３に示すように、バネ（第１弾性部材）２５ａを有している。
バネ２５ａは、図３に示すように、断面視において、マグネット２４の左右両側に設けられた第１脚部２１ｄａ，２１ｄａが内側に挿入された状態で配置されている。また、バネ２５ａは、支持板２４ａとトレイ２１の裏面との間に挟まれており、その弾性力によって、マグネット２４が固定された支持板２４ａを、トレイ２１の裏面から離間させる方向に付勢する。
【００２９】
ここで、マグネット２４の吸着力Ｆｍｇは、バネ２５ａの弾性力Ｆｓｐよりも大きくなるように設定されている（Ｆｍｇ＞Ｆｓｐ）。
よって、ハンドセット１１がトレイ２１の収納位置（図５Ａ参照）にある状態では、マグネット２４の吸着力によって、マグネット２４がバネ２５ａによってトレイ２１の裏面から引き離されることはなく、マグネット２４が裏面に対して当接した状態で保持される（吸着位置）。
【００３０】
そして、ハンドセット１１がトレイ２１の取出し位置（図６Ｃ参照）にある状態から取り外されると、マグネット２４の吸着力がなくなり、マグネット２４がバネ２５ａの弾性力によってトレイ２１の裏面から引き離される（退避位置）。
＜クレードル装置１０からハンドセット１１を取り出す工程＞
本実施形態のクレードル装置１０は、収納状態にあるハンドセット１１を取り出して使用する際には、以下のような工程により、トレイ２１を収納位置から取出し位置へと移行させる。
【００３１】
すなわち、図５Ａに示すように、ハンドセット１１がトレイ２１の載置面２１ａ上にセットされ、トレイ２１が収納位置にある状態では、ハンドセット１１内の吸着板１２とマグネット２４とが吸着している。
これにより、ハンドセット１１は、トレイ２１上において吸着されているため、座席１の背もたれ２の背面２ａから脱落することはない。
【００３２】
次に、図５Ｂに示すように、使用者がリリースボタン２３ａを押下すると、ロック部材２３ｂが後退して、ロック部材２３ｂの先端が、トレイ２１のロック穴２１ｃから抜けた状態となる。
これにより、図５Ｃに示すように、トレイ２１の係止が解除され、ポップアップ機構２３によってトレイ２１が背面２ａから突出する方向へ移動する。
【００３３】
なお、ポップアップ機構２３によるトレイ２１の移動は、ロック部材２３ｂによるトレイ２１のロック穴２１ｃからの退避によって、図６Ａに示すように、収納位置において縮んでいたバネ２３ｄの弾性力によって行われる。
次に、図６Ｂに示すように、使用者がリリースボタン２３ａから手を離すと、リリースボタン２３ａが初期位置へ戻されるとともに、リリースボタン２３ａに連動するロック部材２３ｂもロック穴２１ｃに係止されていた初期位置へと戻される。
【００３４】
このとき、トレイ２１が取出し位置まで移動しているため、ロック部材２３ｂの先端は、ロック穴２１ｃ内へ挿入されることなく、被係止部２１ｂの直下へと移動する。
なお、トレイ２１が取出し位置へ移行した状態では、マグネット２４とハンドセット１１内の吸着板１２との吸着状態は維持されている。
このとき、ポップアップ状態においても、ハンドセット１１はトレイ２１に吸着されている。このため、使用者の操作によってポップアップ状態へ移行した場合でも、ハンドセット１１がテーブル等の上に脱落してしまうことを防止することができる。
【００３５】
また、使用者は、ポップアップ状態において、ハンドセット１１がマグネット２４の吸着力だけでトレイ２１に保持されているため、ハンドセット１１を容易に取り外すことができる。
次に、図６Ｃに示すように、取出し位置において、使用者によってハンドセット１１がトレイ２１から取り外されると、ハンドセット１１内の吸着板１２がマグネット２４から引き離される。
【００３６】
これにより、マグネット２４の吸着力はなくなり、退避機構２５のバネ２５ａ，２５ａの弾性力によって、支持板２４ａがトレイ２１から離れる方向へ移動する。よって、支持板２４ａ上に固定されたマグネット２４は、図６Ｃに示す所定の退避位置へ移動する。
＜クレードル装置１０にハンドセット１１を収納する工程＞
本実施形態のクレードル装置１０は、使用者によって、使用されていたハンドセット１１がクレードル装置１０へ収納される際には、以下のような工程により、ハンドセット１１を収納位置へと移行させる。
【００３７】
すなわち、図７Ａに示すように、まず、使用者によって、ハンドセット１１がトレイ２１の載置面２１ａ上にセットされる。
このとき、トレイ２１の載置面２１ａ上にセットされただけでは、吸着板１２とマグネット２４との吸着状態にはならず、マグネット２４はそのまま退避位置にある。
次に、図７Ｂに示すように、使用者によって、ハンドセット１１が背面２ａ側へ押し込まれると、トレイ２１の被係止部２１ｂの下端部がロック部材２３ｂの先端に形成された傾斜部へ当接しながら背面２ａの奥側へと移動する。
【００３８】
このとき、トレイ２１が所定の中間位置まで押し込まれると、図７Ｂに示すように、マグネット２４が固定された支持板２４ａの裏面側に本体部２２の凸部２２ｃが当接する。
次に、図７Ｃに示すように、さらにハンドセット１１が押し込まれると、マグネット２４が固定された支持板２４ａの裏面側に本体部２２の凸部２２ｃが当接したまま、マグネット２４をトレイ２１の裏面側へと押し上げていく。
【００３９】
このとき、退避機構２５のバネ２５ａ，２５ａは、徐々に縮んでいく。
次に、図７Ｄに示すように、ハンドセット１１の表示画面１１ｂが背面２ａとほぼフラットな状態になるまで完全に押し込まれると、マグネット２４はトレイ２１の裏面と当接する吸着位置まで押し上げられ、再び、ハンドセット１１内の吸着板１２と吸着する。
これにより、使用者がハンドセット１１を完全に押し込んでトレイ２１が収納位置へ移動するまでは、マグネット２４と吸着板１２との吸着状態が復活しない。
【００４０】
このため、使用者がハンドセット１１を押し込む作業を途中でやめてしまうと、マグネット２４による吸着力が生じていないハンドセット１１は、すぐに落下する状態にある。
よって、使用者が、中途半端な状態で収納されているにもかかわらず、収納されたと勘違いすることを防止することができる。
この結果、ハンドセット１１が中途半端な状態で収納されたことに起因して、ハンドセット１１が不意にクレードル装置１０から落下してしまうことを防止することができる。
【００４１】
特に、図１に示すように、クレードル装置１０が座席１の背もたれ２の背面２ａに横向きに埋め込まれている場合でも、収納位置において確実にハンドセット１１を保持することができるため、ハンドセット１１の落下を確実に防止することができる。
なお、ハンドセット１１を収納する際に、マグネット２４と吸着板１２との吸着状態が復活するタイミングとしては、図７Ｄに示すように、ハンドセット１１が完全に押し込まれた状態に限らず、図７Ｃに示すトレイ２１が収納位置に移行する直前であってもよい。以下の各実施形態についても同様である。
【００４２】
（実施形態２）
本開示の第２の実施形態に係るクレードル装置１００について、図８〜図１１Ｃを用いて説明すれば以下の通りである。
なお、説明の便宜上、上述した実施形態１と同じ形状・機能を有する部材については、同じ符号を付し、その説明を省略する。
【００４３】
本実施形態のクレードル装置１００は、図８に示すように、取出し位置においてハンドセット１１が取り外された際に、マグネット２４を吸着位置から退避位置へと移動させる退避機構を備えていない点で、上記実施形態１とは異なっている。
つまり、本実施形態の構成では、ハンドセット１１が取り外されると、重力によってマグネット２４を自由落下させて退避位置へと移動させる。
【００４４】
より具体的には、本実施形態のクレードル装置１００は、図８に示すように、トレイ２１、本体部１２２、ポップアップ機構２３を備えている。
本体部１２２は、図８に示すように、トレイ２１を下方から支持する受け部材であって、トレイ２１の裏面側との間に形成される空間に、マグネット２４を収納する。そして、本体部２２は、取付部１２２ａ、底部１２２ｂ、落下空間１２２ｃ、壁部１２２ｄを有している。
【００４５】
取付部１２２ａは、図８に示すように、略水平方向に沿った取付面１０２ａに対して平行に形成された鍔状の部分であって、取付面１０２ａの裏面側に固定されている。これにより、本体部１２２が取付面１０２ａに対して取り付けられる。
底部１２２ｂは、図８に示すように、本体部１２２の底面を形成する部分であって、上述したマグネット２４が自由落下する際の落下空間１２２ｃを形成する。
【００４６】
落下空間１２２ｃは、図８に示すように、本体部１２２とトレイ２１の裏面との間に形成された空間のほぼ中央に設けられており、壁部１２２ｄによって他の空間と仕切られている。
壁部１２２ｄは、マグネット２４の寸法に合わせて、底部１２２ｂに立設された円筒状の部分である。そして、壁部１２２ｄは、後述する図９Ａに示す収納位置から図１０Ｃに示す取出し位置へ移行するまで、マグネット２４の外周を取り囲むように配置されている。
【００４７】
＜クレードル装置１００からハンドセット１１を取り出す工程＞
本実施形態のクレードル装置１００は、収納状態にあるハンドセット１１を取り出して使用する際には、以下のような工程により、トレイ２１を収納位置から取出し位置へと移行させる。
すなわち、図９Ａに示すように、ハンドセット１１がトレイ２１の載置面２１ａ上にセットされ、トレイ２１が収納位置にある状態では、ハンドセット１１内の吸着板１２とマグネット２４とが吸着している。
【００４８】
これにより、ハンドセット１１は、トレイ２１上において吸着されているため、取付面１０２ａから脱落することはない。
次に、図９Ｂに示すように、使用者がリリースボタン２３ａを押下すると、ロック部材２３ｂが後退して、ロック部材２３ｂの先端が、トレイ２１のロック穴２１ｃから抜けた状態となる。
【００４９】
これにより、図９Ｃに示すように、トレイ２１の係止が解除され、ポップアップ機構２３によってトレイ２１が取付面１０２ａから突出する方向へ移動する。
なお、ポップアップ機構２３によるトレイ２１の移動は、上記実施形態と同様に、ロック部材２３ｂによるトレイ２１のロック穴２１ｃからの退避によって、図６Ａに示すように、収納位置において縮んでいたバネ２３ｄの弾性力によって行われる。
【００５０】
次に、図１０Ａに示すように、使用者がリリースボタン２３ａから手を離すと、リリースボタン２３ａが初期位置へ戻されるとともに、リリースボタン２３ａに連動するロック部材２３ｂもロック穴２１ｃに係止されていた初期位置へと戻される。
このとき、トレイ２１が取出し位置まで移動しているため、ロック部材２３ｂの先端は、ロック穴２１ｃ内へ挿入されることなく、被係止部２１ｂの直下へと移動する。
【００５１】
なお、トレイ２１が取出し位置へ移行した状態では、マグネット２４とハンドセット１１内の吸着板１２との吸着状態は維持されている。
次に、図１０Ｂに示すように、取出し位置において、使用者によってハンドセット１１がトレイ２１から取り外されると、ハンドセット１１内の吸着板１２がマグネット２４から引き離される。
【００５２】
これにより、マグネット２４の吸着力はなくなり、マグネット２４は重力による自由落下によって、落下空間１２２ｃにおいて、トレイ２１の裏面から離れる方向へ移動する。よって、マグネット２４は、図１０Ｂに示す退避位置（落下空間１２２ｃの最下部）へ移動する。
なお、本実施形態では、上述した通り、マグネット２４を退避位置へと移動させる手段が、マグネット２４に掛かる重力に依存している。
【００５３】
このため、本実施形態のクレードル装置１００は、原則として、ほぼ鉛直方向に沿ってトレイ２１が移動する向きになるように設置される。
これにより、マグネット２４を退避位置へ移動させる機構が不要となり、構成を簡素化することができる。
＜クレードル装置１００にハンドセット１１を収納する工程＞
本実施形態のクレードル装置１００は、使用者によって、使用されていたハンドセット１１がクレードル装置１０へ収納される際には、以下のような工程により、ハンドセット１１を収納位置へと移行させる。
【００５４】
すなわち、図１１Ａに示すように、まず、使用者によって、ハンドセット１１がトレイ２１の載置面２１ａ上にセットされる。
このとき、トレイ２１の載置面２１ａ上にセットされただけでは、吸着板１２とマグネット２４との吸着状態にはならず、マグネット２４はそのまま落下空間１２２ｃの最下部（退避位置）にある。
【００５５】
次に、図１１Ｂに示すように、使用者によって、ハンドセット１１が取付面１０２ａ側へ押し込まれると、ハンドセット１１がセットされたトレイ２１が本体部１２２の底部１２２ｂの方向へと移動する。
次に、図１１Ｃに示すように、さらにハンドセット１１が押し込まれて、ハンドセット１１の表示画面１１ｂが取付面１０２ａとほぼフラットな状態になると、マグネット２４はトレイ２１の背面に対して距離が近くなるため、吸着板１２に対する吸着力が生じる。
【００５６】
これにより、マグネット２４は、その吸着力が重力を上回ることで、トレイ２１の裏面と当接する吸着位置まで移動して、再び、ハンドセット１１内の吸着板１２と吸着する。
これにより、使用者がハンドセット１１を完全に押し込んでトレイ２１が収納位置へ移動するまでは、マグネット２４と吸着板１２との吸着状態が復活しない。
このため、使用者がハンドセット１１を押し込む作業を途中でやめてしまうと、マグネット２４による吸着力が生じていないハンドセット１１は、クレードル装置１００に保持されていない状態にある。
【００５７】
よって、使用者が、中途半端な状態で収納されているにもかかわらず、収納されたと勘違いすることを防止することができる。
この結果、ハンドセット１１が中途半端な状態で収納されたことに起因して、ハンドセット１１が不意にクレードル装置１０から落下してしまうことを防止することができる。
（実施形態３）
本開示の第３の実施形態に係るクレードル装置２００について、図１２〜図１５Ｄを用いて説明すれば以下の通りである。
【００５８】
なお、説明の便宜上、上述した実施形態１，２と同じ形状・機能を有する部材については、同じ符号を付し、その説明を省略する。
本実施形態のクレードル装置２００は、図１２に示すように、取出し位置においてハンドセット１１が取り外された際に、マグネット２４を吸着位置から退避位置へと移動させる退避機構２２５として、マグネット２４を背面２ａに対して略平行な方向に沿って移動させる機構を備えている点で、上記実施形態１とは異なっている。
【００５９】
より具体的には、本実施形態のクレードル装置２００は、図１２に示すように、トレイ２１、本体部２２２、ポップアップ機構２３、および退避機構２２５を備えている。
本体部２２２は、図１２に示すように、トレイ２１を下方から支持する受け部材であって、トレイ２１の裏面側との間に形成される空間に、マグネット２４、退避機構２２５を収納する。そして、本体部２２２は、取付部２２２ａ、底部２２２ｂ、ケース部２２２ｄ、傾斜面２２２ｅを有している。
【００６０】
取付部２２２ａは、図１２に示すように、座席１の背もたれ２の背面（取付面）２ａに対して平行に形成された鍔状の部分であって、背面２ａの裏面側に固定されている。これにより、本体部２２２が背面２ａに対して取り付けられる。
底部２２２ｂは、図１２に示すように、本体部１２２の底面を形成する部分であって、トレイ２１の裏面との間の隙間に、マグネット２４、退避機構２２５を収納する空間を形成する。
【００６１】
ケース部２２２ｄは、図１２に示すように、トレイ２１の裏面側に取り付けられた矩形状の部材であって、内部空間に、マグネット２４、バネ（第１弾性部材）２２５ａが横向きに収納されている。
なお、マグネット２４の磁極方向は、図１２中の上下方向であって、バネ２２５ａが弾性力を付与する方向と直角になるように配置されている。
【００６２】
そして、マグネット２４は、ケース部２２２ｄの内部空間において、移動可能な状態で収納されている。
また、ケース部２２２ｄには、後述するハンドセット１１を収納する工程において、マグネット２４の端部を傾斜面２２２ｅと当接させるための開口部が形成されている。
傾斜面（移動機構）２２２ｅは、本体部２２２における底部２２２ｂよりもロック部材２３ｂ側に設けられており、ロック部材２３ｂから離れる方向に向かって下方傾斜している。なお、マグネット２４を移動させる傾斜面（移動機構）としては、ロック部材とは反対側に設けられていてもよい。
【００６３】
これにより、後述するハンドセット１１を収納状態へ移行させる際には、傾斜面２２２ｅがマグネット２４の端部に当接することで、マグネット２４を退避位置から吸着位置へと移動させることができる。
退避機構２２５は、トレイ２１が収納位置（図１３Ａ参照）から取出し位置（図１４Ｂ参照）へ移行した際に、ハンドセット１１が取り外されると、マグネット２４を吸着位置から退避位置へと移動させる。そして、退避機構２２５は、図１２に示すように、バネ（第１弾性部材）２２５ａを有している。
【００６４】
バネ（第１弾性部材）２２５ａは、図１２に示すように、ケース部２２２ｄの内側に挿入された状態で配置されている。また、バネ２２５ａは、ケース部２２２ｄの底面とマグネット２４の側面との間に挟まれており、その弾性力によって、マグネット２４をトレイ２１の裏面側において吸着位置から退避位置へ移動させる方向に付勢する。
ここで、マグネット２４の吸着力Ｆｍｇは、バネ２２５ａの弾性力Ｆｓｐの大きさとの関係が以下の関係式を満たすように設定されている。
【００６５】
μ×Ｆｍｇ＞Ｆｓｐ（ただし、μは、マグネット２４とトレイ２１の裏面との摩擦係数）
つまり、マグネット２４とバネ２２５ａとが図１２に示す位置関係にある場合には、バネ２２５ａの弾性力Ｆｓｐは、マグネット２４の吸着力Ｆｍｇによって生じる摩擦力μ×Ｆｍｇよりも小さくなるように設定されている。
【００６６】
よって、ハンドセット１１がトレイ２１の収納位置（図１３Ａ参照）にある状態では、マグネット２４の吸着力によって、マグネット２４がバネ２２５ａの弾性力に負けてトレイ２１の裏面側における吸着位置から移動させられることはなく、マグネット２４が所定の吸着位置において保持される。
そして、ハンドセット１１がトレイ２１の取出し位置（図１４Ｂ参照）にある状態から取り外されると、マグネット２４の吸着力がなくなり、マグネット２４がバネ２２５ａの弾性力によって、吸着位置から退避位置へと移動する。
【００６７】
＜クレードル装置２００からハンドセット１１を取り出す工程＞
本実施形態のクレードル装置２００は、収納状態にあるハンドセット１１を取り出して使用する際には、以下のような工程により、トレイ２１を収納位置から取出し位置へと移行させる。
すなわち、図１３Ａに示すように、ハンドセット１１がトレイ２１の載置面２１ａ上にセットされ、トレイ２１が収納位置にある状態では、ハンドセット１１内の吸着板１２とマグネット２４とが吸着している。
【００６８】
これにより、ハンドセット１１は、トレイ２１上において吸着されているため、座席１の背もたれ２の背面２ａから脱落することはない。
次に、図１３Ｂに示すように、使用者がリリースボタン２３ａを押下すると、ロック部材２３ｂが後退して、ロック部材２３ｂの先端が、トレイ２１のロック穴２１ｃから抜けた状態となる。
【００６９】
これにより、図１３Ｃに示すように、トレイ２１の係止が解除され、ポップアップ機構２３によってトレイ２１が背面２ａから突出する方向へ移動する。
なお、ポップアップ機構２３によるトレイ２１の移動は、上記実施形態と同様に、ロック部材２３ｂによるトレイ２１のロック穴２１ｃからの退避によって、図６Ａに示すように、収納位置において縮んでいたバネ２３ｄの弾性力によって行われる。
【００７０】
次に、図１４Ａに示すように、使用者がリリースボタン２３ａから手を離すと、リリースボタン２３ａが初期位置へ戻されるとともに、リリースボタン２３ａに連動するロック部材２３ｂもロック穴２１ｃに係止されていた初期位置へと戻される。
このとき、トレイ２１が取出し位置まで移動しているため、ロック部材２３ｂの先端は、ロック穴２１ｃ内へ挿入されることなく、被係止部２１ｂの直下へと移動する。
【００７１】
なお、トレイ２１が取出し位置へ移行した状態では、マグネット２４とハンドセット１１内の吸着板１２との吸着状態は維持されている。
次に、図１４Ｂに示すように、取出し位置において、使用者によってハンドセット１１がトレイ２１から取り外されると、ハンドセット１１内の吸着板１２がマグネット２４から引き離される。
【００７２】
これにより、マグネット２４の吸着力はなくなり、マグネット２４は、退避機構２２５のバネ２２５ａの弾性力によって、トレイ２１の裏面に沿ってロック部材２３ｂの方向へ移動し、図１４Ｂに示す所定の退避位置（ケース部２２２ｄ内におけるロック部材２３ｂ側の端部）へ移動する。
＜クレードル装置２００にハンドセット１１を収納する工程＞
本実施形態のクレードル装置２００は、使用者によって、使用されていたハンドセット１１がクレードル装置１０へ収納される際には、以下のような工程により、ハンドセット１１を収納位置へと移行させる。
【００７３】
すなわち、図１５Ａに示すように、まず、使用者によって、ハンドセット１１がトレイ２１の載置面２１ａ上にセットされる。
このとき、トレイ２１の載置面２１ａ上にセットされただけでは、吸着板１２とマグネット２４との吸着状態にはならず、マグネット２４はそのまま吸着板１２の直下からはずれた退避位置にある。
【００７４】
次に、図１５Ｂに示すように、使用者によって、ハンドセット１１が背面２ａ側へ押し込まれると、トレイ２１の被係止部２１ｂの下端部がロック部材２３ｂの先端に形成された傾斜部へ当接しながら背面２ａの奥側へと移動する。
このとき、トレイ２１が所定の中間位置まで押し込まれると、図１５Ｂに示すように、ケース部２２２ｄ内に収納されたマグネット２４のロック部材２３ｂ側の端部が、本体部２２２の傾斜面２２ｅに当接する。
【００７５】
次に、図１５Ｃに示すように、さらにハンドセット１１が押し込まれると、マグネット２４が傾斜面２２２ｅに当接したまま、マグネット２４が退避機構２２５のバネ２２５ａを縮める方向へ移動していく。
次に、図１５Ｄに示すように、ハンドセット１１の表示画面１１ｂが背面２ａとほぼフラットな状態になるまで完全に押し込まれると、マグネット２４は傾斜面２２２ｅによって吸着位置まで移動させられ、再び、ハンドセット１１内の吸着板１２と吸着する。
【００７６】
これにより、使用者がハンドセット１１を完全に押し込んでトレイ２１が収納位置へ移動するまでは、マグネット２４と吸着板１２との吸着状態が復活しない。
このため、使用者がハンドセット１１を押し込む作業を途中でやめてしまうと、マグネット２４による吸着力が生じていないハンドセット１１は、すぐに落下する状態にある。
よって、使用者が、中途半端な状態で収納されているにもかかわらず、収納されたと勘違いすることを防止することができる。
【００７７】
この結果、ハンドセット１１が中途半端な状態で収納されたことに起因して、ハンドセット１１が不意にクレードル装置１０から落下してしまうことを防止することができる。
特に、図１に示すように、クレードル装置２０が座席１の背もたれ２の背面２ａに横向きに埋め込まれている場合でも、収納位置において確実にハンドセット１１を保持することができるため、ハンドセット１１の落下を確実に防止することができる。
【００７８】
［他の実施形態］
以上、本開示の一実施形態について説明したが、本開示は上記実施形態に限定されるものではなく、開示の要旨を逸脱しない範囲で種々の変更が可能である。
（Ａ）
上記実施形態１〜３では、ポップアップ機構２３によって、トレイ２１を取付面に対して略平行な姿勢を維持したまま、収納位置から取出し位置へと移行する例を挙げて説明した。しかし、本開示はこれに限定されるものではない。
【００７９】
例えば、図１６Ａおよび図１６Ｂに示すように、トレイ２１は取付面に平行な姿勢を維持したまま移動するのではなく、一方の端部だけを持ち上げる方持ちポップアップ方式を採用してもよい。
なお、図１６Ａおよび図１６Ｂに示す断面図は、図２に示すＢ−Ｂ線の位置に対応する断面図である。
【００８０】
具体的には、本実施形態のクレードル装置３００は、図１６Ａに示すように、トレイ３２１、本体部３２２、ポップアップ機構３２３を備えている。
本体部３２２は、図１６Ａに示すように、トレイ３２１を下方から支持する受け部材であって、トレイ３２１の裏面に対して近接して配置されている。そして、本体部３２２は、取付部３２２ａ、係止孔３２２ｂを有している。
【００８１】
取付部３２２ａは、図１６Ａに示すように、座席１の背もたれ２の背面（取付面）２ａに対して平行に形成された鍔状の部分であって、背面２ａの裏面側に固定されている。これにより、本体部３２２が背面２ａに対して取り付けられる。
係止孔３２２ｂは、本体部３２２における底部分に形成された開口であって、後述するねじりバネ３２３ａの第１端部を係止している。
【００８２】
ポップアップ機構３２３は、トレイ３２１を、収納位置から取出し位置へ、反対に、取出し位置から収納位置へと移行させる機構であって、図１６Ａに示すように、ねじりバネ３２３ａを有している。
ねじりバネ３２３ａは、第１端部が係止孔３２２ｂに、第２端部がトレイ３２１の裏面側に当接した状態で配置されている。
【００８３】
そして、ねじりバネ３２３ａは、上述した実施形態で説明したリリースボタン２３ａが押下されると、図１６Ｂに示すように、弾性力によってトレイ３２１の片側を斜めに持ち上げるようにして取出し位置へと移行させる。
これにより、使用者は、持ち上げられた側の端部を持ってハンドセット１１をトレイ３２１から取り外すことで、上記各実施形態と同様の効果を得ることができる。
【００８４】
なお、ポップアップ機構の駆動源としては、バネに限らず、プランジャー、板バネ、ぜんまいバネ、油圧・空気圧、ボールネジ、すべりネジ等を採用してもよい。
さらに、ポップアップ機構によってトレイをポップアップさせる方向としては、図１に示す方向に限らず、座席の背もたれ部分の背面に向かって左右方向であってもよい。この場合には、例えば、左端にリリースボタン、右端にヒンジやねじりバネを配置すればよい。
【００８５】
（Ｂ）
上記実施形態１，３では、ハンドセット１１をクレードル装置１０へ収納する際に、マグネット２４を退避位置から吸着位置へ移動させる機構として、本体部２２に形成された凸部２２ｃ（実施形態１）、本体部２２２に形成された傾斜面２２２ｅ（実施形態３）を用いた例を挙げて説明した。しかし、本開示はこれに限定されるものではない。
【００８６】
例えば、マグネット２４を退避位置から吸着位置へ移動させる移動機構としては、上記実施形態において開示された構成に限らず、トレイの上下動（ポップアップ）に連動して駆動されるギアやピニオンを組み合わせてマグネットを所望の方向へ移動させる移動機構を採用してもよい。
その他にも、マグネットを退避位置から吸着位置へ移動させる機構として、プランジャー、モータ、カム、ギア、ピニオン等を採用してもよい。さらには、トレイの上下動に連動して駆動されるプーリとワイヤ等を用いた構成であってもよい。
【００８７】
（Ｃ）
上記実施形態１〜３では、ハンドセット１１を収納位置において係止するための機構として、ハンドセット１１が載置されるトレイ２１の一部（ロック穴２１ｃ）をロック部材２３ｂによって係止する例を挙げて説明した。しかし、本開示はこれに限定されるものではない。
【００８８】
例えば、図１７に示すように、ロック部材２３ｂが、トレイ２１の一部ではなく、ハンドセット４１１自体を係止する構成であってもよい。
具体的には、ハンドセット４１１には、ロック部材２３ｂが挿入された状態で係止される係止部４１１ａが設けられている。
係止部４１１ａは、ハンドセット４１１の側面に形成されており、収納状態においてハンドセット４１１を係止する。
【００８９】
これにより、上記実施形態１〜３と同様に、使用者が、リリースボタン２３ａを押下することで、容易にハンドセット４１１を取出し位置へ移動させることができる。また、トレイを固定するよりもハンドセットを直接固定することでより確実に係止することができるため、例えば、航空機内にクレードル装置が設置されている場合でも、飛行中の振動等によってハンドセットが脱落してしまうことを防止することができる。
【００９０】
なお、ハンドセットを係止する機構としては、上記の構成以外にも、プランジャー、モータとカムとギアとピニオンの組合せ、電磁石、磁力等を用いてもよい。
（Ｄ）
上記実施形態１〜３では、クレードル装置１０の本体部２２側にマグネット２４、ハンドセット１１の内部に吸着板１２がそれぞれ設けられた構成を例として挙げて説明した。しかし、本開示はこれに限定されるものではない。
【００９１】
例えば、マグネットと吸着板とが反対に設けられていてもよい。
すなわち、クレードル装置側に吸着板、ハンドセット側にマグネットがそれぞれ設けられていてもよい。
（Ｅ）
上記実施形態１，３では、本開示に係るクレードル装置１０，２００が航空機の座席１の背もたれ２の背面２ａ側に設置された例を挙げて説明した。しかし、本開示はこれに限定されるものではない。
【００９２】
例えば、クレードル装置の設置場所としては、航空機に限らず、電車、バス、船舶等、他の移動手段であってもよい。
また、取付け面としては、座席の背もたれ部分の背面側以外に、背もたれ部分の上部、座席横のアームレストの部分、壁面、床面等であってもよい。
（Ｆ）
上記実施形態では、クレードル装置１０に装着される端末装置として、航空機内で使用されるハンドセット１１を例として挙げて説明した。しかし、本発明はこれに限定されるものではない。
【００９３】
例えば、携帯電話や各種コントローラ等の端末装置を収納するクレードル装置であってもよい。
（Ｇ）
上記実施形態では、ポップアップ機構２３がトレイ２１の長手方向における両端にそれぞれ配置されている例を挙げて説明した。しかし、本発明はこれに限定されるものではない。
【００９４】
例えば、ポップアップ機構をトレイ２１の長手方向におけるほぼ中央に１つだけ設けた構成であってもよい。
また、ポップアップ機構をトレイ２１の長手方向におけるほぼ中央に１つだけ設けた構成を採用した場合には、マグネットをトレイの長手方向におけるいずれか一方の端部に設けてもよい。
【００９５】
このような構成を採用した場合でも、上記実施形態と同様の効果を得ることができる。
【産業上の利用可能性】
【００９６】
本開示のクレードル装置は、使用者によって収納位置まで押し込まれた際に、確実に端末装置を保持する状態へ移行することができるという効果を奏することから、端末装置が使用される各種環境において広く適用可能である。
【符号の説明】
【００９７】
１      座席
２      背もたれ
２ａ    背面
１０      クレードル装置
１１      ハンドセット（端末装置）
１１ａ    操作ボタン
１１ｂ    表示画面
１２      吸着板
２１      トレイ
２１ａ    載置面
２１ｂ    被係止部
２１ｃ    ロック穴
２１ｄａ  第１脚部
２１ｄｂ  第２脚部
２１ｅ    ストッパ
２２      本体部
２２ａ    取付部
２２ｂ    底部
２２ｃ    凸部（移動機構）
２３      ポップアップ機構
２３ａ    リリースボタン（解除部）
２３ａａ  バネ
２３ｂ    ロック部材
２３ｂａ  バネ
２３ｃ    ケース部
２３ｄ    バネ（第２弾性部材）
２４      マグネット（吸着部材）
２４ａ    支持板
２５      退避機構
２５ａ    バネ（第１弾性部材）
１００    クレードル装置
１０２ａ  取付面
１２２    本体部
１２２ａ  取付部
１２２ｂ  底部
１２２ｃ  落下空間
１２２ｄ  壁部
２００    クレードル装置
２２２    本体部
２２２ａ  取付部
２２２ｂ  底部
２２２ｄ  ケース部
２２２ｅ  傾斜面（移動機構）
２２５    退避機構
２２５ａ  バネ（第１弾性部材）
３００    クレードル装置
３２１    トレイ
３２１ａ  載置面
３２２    本体部
３２２ａ  取付部
３２２ｂ  係止孔
３２３    ポップアップ機構
３２３ａ  ねじりバネ
４００    クレードル装置
４１１    ハンドセット（端末装置）
４１１ａ  係止部
４２２    本体部
【図１】
2016171425.tif 000003
【図２】
2016171425.tif 000004
【図３】
2016171425.tif 000005
【図４】
2016171425.tif 000006
【図５Ａ】
2016171425.tif 000007
【図５Ｂ】
2016171425.tif 000008
【図５Ｃ】
2016171425.tif 000009
【図６Ａ】
2016171425.tif 000010
【図６Ｂ】
2016171425.tif 000011
【図６Ｃ】
2016171425.tif 000012
【図７Ａ】
2016171425.tif 000013
【図７Ｂ】
2016171425.tif 000014
【図７Ｃ】
2016171425.tif 000015
【図７Ｄ】
2016171425.tif 000016
【図８】
2016171425.tif 000017
【図９Ａ】
2016171425.tif 000018
【図９Ｂ】
2016171425.tif 000019
【図９Ｃ】
2016171425.tif 000020
【図１０Ａ】
2016171425.tif 000021
【図１０Ｂ】
2016171425.tif 000022
【図１１Ａ】
2016171425.tif 000023
【図１１Ｂ】
2016171425.tif 000024
【図１１Ｃ】
2016171425.tif 000025
【図１２】
2016171425.tif 000026
【図１３Ａ】
2016171425.tif 000027
【図１３Ｂ】
2016171425.tif 000028
【図１３Ｃ】
2016171425.tif 000029
【図１４Ａ】
2016171425.tif 000030
【図１４Ｂ】
2016171425.tif 000031
【図１５Ａ】
2016171425.tif 000032
【図１５Ｂ】
2016171425.tif 000033
【図１５Ｃ】
2016171425.tif 000034
【図１５Ｄ】
2016171425.tif 000035
【図１６Ａ】
2016171425.tif 000036
【図１６Ｂ】
2016171425.tif 000037
【図１７】
2016171425.tif 000038